(57)【要約】【課題】簡易な構成によって、壁や障害物等の向こう側にある景色を携帯端末の表示画面上に表示させる。【解決手段】所定の風景又は建築物を撮影して得られた複数の映像データを蓄積したサーバ２０との間でデータの送受信を行う通信部１３と、サーバ２０から送信された映像データを表示する表示部１２と、携帯端末１０の位置情報を検出する位置検出部１５と、携帯端末１０の向いている方向の情報を検出する姿勢検出部１６とを備えた。そして、位置検出部１５で検出された位置情報と、姿勢検出部１６で検出された方向の情報とに基づいて、サーバ２０に対して所定の映像データを特定するための特定情報を生成して送信するとともに、特定情報に基づいてサーバ２０によって抽出及び送信された映像データを表示部１２に表示させるようにした。【選択図】図１
2011041020.tif 000002
【特許請求の範囲】
【請求項１】
所定の風景又は建築物を撮影して得られた複数の映像データを蓄積したサーバとの間でデータの送受信を行う通信部と、
前記サーバから送信された映像データを表示する表示部と、
当該携帯端末の位置情報を検出する位置検出部と、
当該携帯端末の向いている方向の情報を検出する姿勢検出部と、
前記位置検出部で検出された位置情報と、前記姿勢検出部で検出された方向の情報とに基づいて、前記サーバに対して所定の映像データを特定するための特定情報を生成し、前記通信部に出力するとともに、前記特定情報に基づいて前記サーバによって抽出及び送信された映像データを、前記表示部に表示させる制御を行う制御部とを備えた、
携帯端末。
【請求項２】
前記位置検出部で検出される前記位置情報は、当該携帯端末が位置する位置の緯度、経度、高度の各情報よりなり、前記姿勢検出部で検出される方向の情報は、当該携帯端末の水平方向における左右の向き情報と、当該携帯端末の仰角情報よりなる
請求項１記載の携帯端末。
【請求項３】
ユーザからの指示が入力される操作入力部を備え、
前記操作入力部からは、前記サーバに蓄積された映像データの種別を特定する種別特定情報が入力される
請求項２記載の携帯端末。
【請求項４】
前記操作入力部からは、前記サーバに蓄積された映像データ中の被写体の位置と、当該携帯端末の位置との間の距離とを指定する距離特定情報が入力される
請求項３記載の携帯端末。
【請求項５】
前記制御部は、前記位置検出部で検出された位置情報と、前記姿勢検出部で検出された方向の情報と、前記種別特定情報と、前記距離特定情報とに基づいて、前記特定情報を生成する
請求項４記載の携帯端末。
【請求項６】
前記制御部は、前記特定情報の中に、前記サーバに蓄積された映像データと、前記サーバに接続されたカメラによる撮影映像とのいずれかを選択するための映像データ種類特定情報を記述する
請求項５記載の携帯端末。
【請求項７】
当該携帯端末の位置情報を検出するステップと、
当該携帯端末の向いている方向の情報を検出するステップと、
前記検出された位置情報と、前記検出された方向の情報とに基づいて、所定の風景又は建築物を撮影して得られた複数の映像データを蓄積したサーバに対して、所定の映像データを特定するための特定情報を生成して送信するステップと、
前記特定情報に基づいて前記サーバによって抽出及び送信された映像データを、前記表示部に表示させるステップとを含む
表示方法。
【請求項８】
所定の風景又は建築物を撮影して得られた複数の映像データを蓄積したサーバとの間でデータの送受信を行う第１の通信部と、
前記サーバから送信された映像データを表示する表示部と、
当該携帯端末の位置情報を検出する位置検出部と、
当該携帯端末の向いている方向の情報を検出する姿勢検出部と、
前記位置検出部で検出された位置情報と、前記姿勢検出部で検出された方向の情報とに基づいて、前記サーバに対して所定の映像データを特定するための特定情報を生成し、前記第１の通信部に出力するとともに、前記特定情報に基づいて前記サーバによって抽出及び送信された映像データを、前記表示部に表示させる制御を行う第１の制御部とを有する携帯端末と、
前記携帯端末との間でデータの送受信を行う第２の通信部と、
前記映像データを蓄積する映像データ蓄積部と、
前記携帯端末から送信された特定情報に基づいて、前記映像データ蓄積部から特定の映像データを抽出して前記第２の通信部に出力する第２の制御部とを有するサーバとを備えた
表示システム。
【請求項９】
前記サーバには、リアルタイムで映像を撮影するカメラが接続される
請求項８記載の表示システム。
【請求項１０】
前記第２の制御部は、前記携帯端末よりカメラによる撮影映像の取得要求が送信された場合には、前記カメラによる撮影映像を取得して前記第２の通信部に出力する
請求項９記載の表示システム。
【請求項１１】
前記映像データ蓄積部に蓄積された映像データには、前記映像データの属性情報として、前記映像データ中の被写体の位置情報と、前記被写体が撮影された時間の情報と、前記被写体が撮影された季節の情報と、前記被写体の種別の情報とが定義され、
前記携帯端末の第１の制御部では、前記映像データの属性情報を特定するための特定情報が生成される
請求項１０記載の表示システム。
【発明の詳細な説明】
【技術分野】
【０００１】
本発明は、携帯端末、表示方法及び表示システムに関し、特に室内あるいは障害物の陰等の場所において、室外あるいは障害物の向こう側の景色を携帯端末の画面上に表示させる技術に関する。
【背景技術】
【０００２】
景色を携帯端末の表示画面上に表示するという観点においては、従来は、携帯端末に内蔵されたカメラによって撮影された映像を表示画面上に表示することが行われている。しかし、この手法においては、表示画面に表示できるのは携帯端末に内蔵されたカメラで捉えられる映像のみとなる。すなわち、携帯電話端末のユーザが室内あるいは障害物の陰に位置する場合には、室外あるいは障害物の向こう側にある景色をカメラは捉えることができないため、これらの景色を表示画面上に表示することはできない。
【０００３】
このような壁や障害物の向こう側の像を、Ｘ線やサーモグラフィを用いて得ることも技術的には可能である。また、壁や障害物の向こう側の像をＣＧ（コンピュータグラフィックス）によって予め生成しておき、ゴーグル等の装置を通してＣＧ画像を視聴可能とすることも行われている。例えば特許文献１には、ＣＧにより作成した仮想立体映像情報を、ユーザがゴーグルを通して見ている現実空間内にはめ込んで表示させる技術が記載されている。
【先行技術文献】
【特許文献】
【０００４】
【特許文献１】特開２０００−１５５８５５号公報
【発明の概要】
【発明が解決しようとする課題】
【０００５】
しかしながら、上述したような従来の技術は、その実現にコストがかかってしまう、装置が大型化してしまう、人体に悪影響を与える場合もある、得られる画像の質があまり良くない等の問題がある。これにより、このような技術を携帯端末に組み込むことが困難であるという問題があった。
【０００６】
本発明はかかる点に鑑みてなされたものであり、簡易な構成によって、壁や障害物等の向こう側にある景色を携帯端末の表示画面上に表示させることを目的とする。
【課題を解決するための手段】
【０００７】
本発明の一側面の携帯端末は、所定の風景又は建築物を撮影して得られた複数の映像データを蓄積したサーバとの間でデータの送受信を行う通信部と、サーバから送信された映像データを表示する表示部とを備える。また、当該携帯端末の位置情報を検出する位置検出部と、当該携帯端末の向いている方向の情報を検出する姿勢検出部を備える。そして、位置検出部で検出された位置情報と、姿勢検出部で検出された方向の情報とに基づいて、サーバに対して所定の映像データを特定するための特定情報を生成して通信部に出力するとともに、特定情報に基づいてサーバによって抽出及び送信された映像データを表示部に表示させるようにした。
【０００８】
このように構成したことで、携帯端末の位置情報と姿勢（方向）情報とに基づいて、サーバ内に蓄積された映像データを特定するための特定情報が送信され、サーバから携帯端末に対して、特定情報に基づいて抽出及び送信された映像データが送信される。そして、その映像データが表示部に表示されるようになる。
【発明の効果】
【０００９】
本発明によると、携帯端末の位置情報と姿勢（方向）情報とに基づいてサーバから抽出・送信された映像データが携帯端末の表示部に表示されるため、表示部の画面上で、壁や障害物等の向こう側にある景色を観賞することができるようになる。
【図面の簡単な説明】
【００１０】
【図１】本発明の一実施の形態によるシステムの構成例を示すブロック図である。
【図２】本発明の一実施の形態による携帯電話端末における送信データの生成例を示す説明図である。
【図３】本発明の一実施の形態による映像データベースサーバの構成例を示す説明図である。
【図４】本発明の一実施の形態による携帯電話端末とサーバとにおける動作の例を示すフローチャートである。
【図５】本発明の一実施の形態によるシステム概要の例を示す説明図である。
【発明を実施するための形態】
【００１１】
以下、発明を実施するための形態（以下、本例とも称する）について説明する。
［システムの全体構成例］
図１は、本例の表示システムの構成例を示すブロック図である。図１に示す表示システムは、本発明の携帯端末の一実施形態としての携帯電話端末１０と、サーバ２０とで構成される。携帯電話端末１０とサーバ２０とは、例えば、無線の通信網によって接続されている。
【００１２】
まず、携帯電話端末１０の構成例から説明すると、携帯電話端末１０には、操作入力部１１と、表示部１２と、通信部１３と、制御部１４と、位置検出部１５と、姿勢検出部１６と、記憶部１７とが含まれる。
【００１３】
操作入力部１１は、数字や記号等のダイヤルキーや各種機能キー等で構成され、ユーザからの操作入力を受け付ける。例えば本例の表示システムを実現する機能がアプリケーションとして携帯電話端末１０に搭載されている場合には、そのアプリケーションを起動するための操作等が操作入力部１１に対して行われる。
【００１４】
また、操作入力部１１は、後述する表示対象物（以下、単に対象物とも称する）の種別の情報等をパラメータとして設定するためのユーザインタフェースとしても使用される。表示対象物を特定するためのパラメータとしては、対象物のライブ映像かビデオ映像かの選択情報や、対象物の種別（建築物か風景か等）を特定する情報、ビデオ映像の撮影された時間、季節の情報、表示対象物までの距離の情報等がある。
【００１５】
表示部１２は、例えば液晶パネルや有機ＥＬ（Electro Luminescence）パネル等で構成され、ユーザからの操作入力部１１への操作入力内容に基づいて、電子メールの作成画面やウェブページ、障害物の向こう側の景色等を表示する。
【００１６】
通信部１３は、サーバ２０との通信を行う処理部であり、制御部１４で生成される後述する対象物特定情報を含む映像データ取得要求のサーバ２０への送信や、サーバ２０から送信される映像データの受信等を行う。
【００１７】
制御部１４は、例えばＣＰＵ（Central Processing Unit）等で構成され、携帯電話端末１０を構成する各部の制御を行う。具体的には、操作入力部１１への操作入力情報や位置検出部１５での位置検出情報、姿勢検出部１６での姿勢検出情報に基づいて、表示部１２に表示させるための表示対象物を特定するための情報（以下、対象物特定情報と称する）を生成する処理等を行う。対象物特定情報の生成の詳細については、次の図２を参照して後述する。また制御部１４では、図示せぬＲＴＣ（Real Time Clock）等により、現在の日付情報や時刻情報の取得も行う。
【００１８】
位置検出部１５は、ＧＰＳ（Global Positioning System）や地磁気センサ等で構成され、携帯電話端末１０の位置する位置情報を検出する。携帯電話端末１０の位置情報としては、ＧＰＳによって携帯電話端末１０の位置する緯度情報、経度情報、高さ（標高）情報が検出され、地磁気センサによって携帯電話端末１０の向いている方向（水平方向における左右方向）の情報等が検出される。姿勢検出部１６は、ジャイロセンサ等で構成され、携帯電話端末１０の上下方向の角度情報（仰角情報）を検出する。
【００１９】
なお、本例では携帯電話端末１０が向いている方向の情報を、地磁気センサを用いて検出する構成を例に挙げているが、これに限定されるものではない。例えばジャイロセンサ等によって方向の情報を検出するようにしてもよい。この場合は、アプリケーションの初回起動時等に、携帯電話端末１０の実際の向き情報と「北」等の特定の方位とを対応付ける初期化処理等を行うようにし、以降は対応付けによって得られた基準点からのズレ量を、方位情報として取得するようにすればよい。
【００２０】
記憶部１７は、ＲＯＭ（Read Only Memory）やＲＡＭ（Random Access Memory）で構成され、本例の携帯電話端末１０を動作させるために必要なプログラムや、ユーザにより生成又は取得されたデータ等が記憶される。また記憶部１７には、サーバ２０から送信された映像データ等も保存される。
【００２１】
なお、図１においては、マイクロフォンやスピーカ、これらを制御する音声処理部の図示を省略しているが、本例の携帯電話端末１０は、これらの機能も備えているものとする。
【００２２】
次に、同じく図１を参照して、サーバ２０の構成例について説明する。サーバ２０は、Ｗｅｂサーバ機能部２１と、データ制御部２２と、映像データベース２３とで構成される。Ｗｅｂサーバ機能部２１は、クライアントとしての携帯電話端末１０からの映像データ取得要求に応じて、データ制御部２２によって映像データベース２３から抽出された映像データを、携帯電話端末１０に送信する。ここでいう映像データ取得要求には、前述した対象物特定情報が含まれている。
【００２３】
データ制御部２２には、映像データベース２３とカメラＣ１〜カメラＣ３が接続されている。そして、データ制御部２２は、操作入力部１１に入力されるユーザからの操作内容に基づいて、映像データベース２３に記憶された映像データ又はカメラＣ１〜カメラＣ３によりリアルタイムに得られる映像のいずれかを取得してＷｅｂサーバ機能部２１に送信する。
【００２４】
映像データベース２３は、著名な山や海等の風景に関する映像データや、著名な建物等の建築物に関する映像データ等が記憶されている。これらの映像データとしては、カメラＣ１〜カメラＣ３によって撮影されたものが蓄積される。すべての映像データには、パラメータとして緯度情報、経度情報、高さ情報、方向情報が設定されており、携帯電話端末１０から映像データ取得要求が送信された場合に、その要求に基づいて映像データベース２３の中から特定の映像データが抽出される。映像データベース２３の詳細については、図３を参照して後述する。
【００２５】
カメラＣ１〜カメラＣ３は、携帯電話端末１０の表示部１２上に表示させる風景や建築物等を撮影するためのカメラである。事前に撮り貯めた映像を映像データベース２３に出力したり、携帯電話端末１０からの要求に応じてリアルタイムで撮影中の映像を出力する。
【００２６】
本例では、例としてカメラＣ１〜カメラＣ３の３台のカメラを図示してあるが、実際にはもっと多くのカメラを使用することが想定される。例えば、有名な建築物Ｌａの周囲３６０°を、東西南北の各方面から撮影したい場合は、カメラは各方位に対応して４台必要となる。あるいは、３０°の間隔で３６０°の映像を撮影したい場合には、１２台のカメラが必要となる。
【００２７】
カメラＣ１〜カメラＣ３のそれぞれには、各カメラＣの緯度情報、経度情報、高さ情報、方向情報がパラメータとして設定してあり、これらのパラメータは、カメラＣ１〜カメラＣ３によって撮影された各映像データの属性情報として、映像データベース２３内に記憶される。また、携帯電話端末１０より、リアルタイムで取得された映像の取得要求が送信された場合には、これらのパラメータに基づいて特定のカメラＣが選択される。
【００２８】
次に、図２を参照して、携帯電話端末１０の制御部１４による対象物特定情報生成処理の例について説明する。図２の左側には、携帯電話端末１０で取得される情報の例を示してあり、図２の右側には、携帯電話端末１０で取得された各種情報に基づいて制御部１４で生成される対象物特定情報の例を示してある。
【００２９】
図２の左側に示すように、携帯電話端末１０では、携帯電話端末１０の位置情報として、位置検出部１５（図１参照）によって緯度情報、経度情報、高さ（高度）情報が取得される。また、操作入力部１１に対する操作入力によって、携帯電話端末１０から表示対象物までの距離が指定される。
【００３０】
携帯電話端末１０から表示対象物までの距離とは、携帯電話端末１０の表示部１２の画面上に、携帯電話端末１０が向いている方向にある風景や建築物のうち、どの位離れた位置にあるものを表示させるかを特定するための情報である。東京にいるユーザが、西南西の方向を向きながら、距離として５００ｋｍを指定した場合には、携帯電話端末１０の表示部１２上に京都の風景又は建築物を表示させることが可能となる。
【００３１】
また、姿勢検出部１６によって、携帯電話端末１０の向いている方向情報と、上下方向の向き情報である仰角情報が検出される。
【００３２】
携帯電話端末１０の制御部１４では、このようにして得られた携帯電話端末１０の位置情報、携帯電話端末１０から対象物までの距離情報、携帯電話端末１０の向き情報から、対象物の緯度、経度、高さ、方向を算出する。そして、算出して得られた結果に基づいて、図２の右側に示すように対象物特定情報を生成する。
【００３３】
また、携帯電話端末１０においては、図２の左側に示すように、制御部１４によって現在の日付及び時刻の情報（現在日時情報）が取得され、操作入力部１１への操作入力内容によって、対象物の種別（風景か建築物か）が選択される。さらに、操作入力部１１への操作入力内容によって、カメラＣ１〜カメラＣ３によってリアルタイムに撮影されている映像か、映像データベース２３内に蓄積された映像のいずれかが選択される。
【００３４】
携帯電話端末１０の制御部１４では、現在日時情報から、対象物を特定するための時間情報、季節情報を生成し、選択された対象物の種別情報に基づいて、抽出すべき映像の種別を特定する情報を生成する。また、操作入力部１１を通して選択されたリアルタイム映像又は蓄積映像の情報に基づいて、カメラＣ１〜カメラＣ３又は、映像データベース２３内の蓄積映像を選択するための制御情報を生成する。
【００３５】
すなわち携帯電話端末１０の制御部１４においては、携帯電話端末１０内の各部で取得された様々な情報に基づいて、表示部１２の画面上に表示させる対象物を特定するための対象物特定情報が生成される。
【００３６】
次に、図３を参照して、サーバ２０内の映像データベース２３の構成例について説明する。映像データベース２３では、映像の属性情報と、実際の映像データとを対応付けて管理している。
【００３７】
映像の属性情報としては、映像中に写っている対象物の名称及び種別（建築物又は風景）と、その位置情報（緯度、経度、高さ）が設定されている。映像データは、方向別、時間別、季節別にそれぞれ異なるデータが用意されている。
【００３８】
図３に示した例では、「○○タワー」と名づけられた映像の位置情報として、緯度＝ＸＸ°、経度＝ＸＸ°、高さ＝ＺＺｍの情報が登録されている。また、種別情報として、映像が「風景」であることが記されている。
【００３９】
さらに、「○○タワー」という名称の映像の属性情報として、ライブ映像を示す情報と、予め撮影されたビデオ映像を示す情報とが、方向毎、時間毎、季節毎に登録されている。ライブ映像を示す情報としては、ライブ映像の撮影を行っているカメラの種類（カメラＣ１）が記述されている。予め撮影されたビデオ映像を示す情報としては、東・西・南・北の方向毎、朝・昼・夕方・夜の時間毎、春・夏・秋・冬の季節毎に、対応する映像の情報（ビデオＶ１−１〜ビデオＶ１−６４）が記述されている。
【００４０】
同様の属性情報が、「△△山」や、その他の景色を撮影した映像毎に用意されているものとする。
【００４１】
携帯電話端末１０から対象物特定情報が送信された場合は、このように構成された映像データベース２３の中から、対象物特定情報中に記述された内容に合致するデータが抽出され、携帯電話端末１０に送信される。
【００４２】
［システムの動作例］
次に、図４を参照して、携帯電話端末１０とサーバ２０による表示システムの動作の例について説明する。まず、携帯電話端末１０において、操作入力部１１を介してアプリケーションを起動する操作を受け付けると（ステップＳ１１）、続いて、同じく操作入力部１１を通して、表示部１２に表示させたい対象物の種別情報と、映像の種類情報（リアルタイム映像又は蓄積映像）の入力も受け付ける（ステップＳ１２）。
【００４３】
次に、制御部１４（図１参照）による制御に基づいて、位置検出部１５と姿勢検出部１６から、それぞれ携帯電話端末１０の位置情報と向き情報が取得される（ステップＳ１３）。そして、制御部１４において、ステップＳ１３で取得された位置情報と向き情報に基づいて、対象物の緯度、経度、高さ、方向の情報が生成される（ステップＳ１４）。
【００４４】
続いて、対象物の緯度、経度、高さ、方向の情報に加えて、対象物の種別情報と映像の種類情報も考慮して制御部１４で生成された対象物特定情報が、映像データ取得要求として通信部１３を通してサーバ２０に送信される（ステップＳ１５）。
【００４５】
対象物特定情報を含む映像データ取得要求を受信したサーバ２０では、データ制御部２２によって、受信した対象物特定情報に基づいて、映像データベース２３（図１参照）から最適な映像データが抽出又は、対象物特定情報中で指定されるカメラＣによる撮影映像が選択される（ステップＳ１６）。そして、抽出又は選択された映像データが、Ｗｅｂサーバ機能部２１によって携帯電話端末１０に送信される（ステップＳ１７）。
【００４６】
ステップＳ１７で送信された映像データを受信した携帯電話端末１０では、受信した映像データが記憶部１７（図１参照）に保存される（ステップＳ１８）。続いて、記憶部１７に保存された映像データが、制御部１４の制御に基づいて表示部１２の画面上に表示される（ステップＳ１９）。次に、携帯電話端末１０の位置情報や姿勢情報（向き情報）に変化があったか否かが判断され（ステップＳ２０）、変化があった場合には、ステップＳ１２に戻って処理が続けられる。
【００４７】
携帯電話端末１０の位置情報や姿勢情報（向き情報）に変化がなかった場合には、ユーザによるアプリケーション終了の操作を受け付けたか否かが判断される（ステップＳ２１）。アプリケーション終了の操作を受け付けた場合には、処理は終了となる。アプリケーション終了の操作を受け付けていない場合には、ステップＳ２０に戻って判断が続けられる。
【００４８】
表示システムがこのように構成及び処理されることで、図５に示すように、ユーザＵが四方を壁で囲まれた部屋の中等にいる場合にも、壁の向こう側にある携帯電話端末１０を向けた方向の延長線上にある風景や建築物を、表示部１２の画面上に表示させることができるようになる。図５に示した例では、ユーザＵは、携帯電話端末１０を方向Ａａの方向に向けることで、方向Ａａの先にある建築物Ｌａを画面上で見ることができ、方向Ａｂに向けることで建築物Ｌｂを見ることができ、方向Ａｃに向けることで風景Ｌｃを見ることができるようになる。
【００４９】
［実施の形態による効果］
上述した実施の形態によれば、ユーザＵは、部屋等の中にいれば本来見ることのできない風景を、携帯電話端末１０の画面を通して見ることができるようになる。例えば、観光地に出向いたが悪天候により室外に出られない場合や、自宅から見えていた美しい景色が、新たな建築物が建造されたことにより見られなくなってしまった場合等に、携帯電話端末１０を使用して、ユーザＵが所望の景色を見ることができるようになる。
【００５０】
また、上述した実施の形態によれば、朝、昼、夕方、夜等の任意の時間をユーザが設定できるようにしてあるため、夜であるが故に見えない昼間の景色を、携帯電話端末１０の画面上に表示させることができるようになる。逆に、昼間に夜景をみることも可能となる。
【００５１】
また、上述した実施の形態によれば、表示部１２に表示させたい対象物として風景と建築物とを選択することができるため、携帯電話端末１０の画面上に、ユーザＵが求める映像を適切に表示させることができる。
【００５２】
また、上述した実施の形態によれば、カメラＣ１〜カメラＣ３によりリアルタイムに撮影されている映像と、映像データベース２３内に蓄積されている蓄積映像とを選択して取得できるため、ユーザＵは好みの映像を選択して見ることができるようになる。例えば映像データベース２３には、天候のよい時に撮影された絵として美しい風景又は建築物の映像データを蓄積しておくことで、ユーザＵに、美しい風景と、現在撮影されている生の映像とのうち好みの映像を選択させることができる。
【００５３】
また、上述した実施の形態によれば、操作入力部１１を介して、携帯電話端末１０から対象物までの距離を指定することができるため、カメラＣのズーム（望遠）を行うような操作感で、ユーザＵは、遠方の所望の建築物や風景を携帯電話端末１０の画面に表示させることができる。
【００５４】
また、上述した実施の形態によれば、Ｘ線やサーモグラフィの使用や、ＣＧによる映像の生成等を行う必要なく、障害物の向こう側の建築物や風景を携帯電話端末１０の画面上に表示させることができるため、携帯電話端末１０の製造コストを低減することができる。
【００５５】
なお、上述した実施の形態では、携帯端末を携帯電話端末１０に適用した例を挙げたが、これに限定されるものではない。例えば、ＰＤＡ（Personal Digital Assistants）や通信機能を有するゲーム機、同じく通信機能を有する音楽データ再生装置等の他の携帯端末に適用してもよい。もしくは、表示部１２をゴーグルとして独立させた構成に適用してもよい。
【符号の説明】
【００５６】
１０…携帯電話端末、１１…操作入力部、１２…表示部、１３…通信部、１４…制御部、１５…位置検出部、１６…姿勢検出部、１７…記憶部、２０…サーバ、２１…Ｗｅｂサーバ機能部機能部、２２…データ制御部、２３…映像データベース、Ｃ１〜Ｃ３…カメラ
【図１】
2011041020.tif 000003
【図２】
2011041020.tif 000004
【図３】
2011041020.tif 000005
【図４】
2011041020.tif 000006
【図５】
2011041020.tif 000007